(57)【要約】【課題】周囲の明るさを検出する光センサを備える情報処理装置に関し、保護パネル側での外光の取込みにより、外光検出構造の簡略化を実現し、入光パネルの不要化により部品点数や組立工数を削減した情報処理装置を提供する。【解決手段】周囲の明るさを検出する光センサ６８を筐体４２内に備えるとともに、この筐体４２に表示器（ＬＣＤディスプレイ６４）の表示面７０を覆う保護パネル４６が設置されている情報処理装置（携帯電話機２、４０）において、保護パネル４６側に入光窓４８を備え、この入光窓４８により外光Ｌを筐体４２内の光センサ６８に入光させる構成としている。【選択図】        図６
2004312620.tif 000002
【特許請求の範囲】
【請求項１】
周囲の明るさを検出する光センサを筐体内に備えるとともに、この筐体に表示器の表示面を覆う保護パネルが設置されている情報処理装置であって、
前記保護パネル側に入光窓を備え、この入光窓により外光を前記筐体内の前記光センサに入光させる構成としたことを特徴とする情報処理装置。
【請求項２】
周囲の明るさを検出する光センサを筐体内に備えるとともに、この筐体に表示器の表示面を覆う保護パネルが設置されている情報処理装置であって、
前記筐体の前記保護パネルで被覆された部位に入光窓を備え、この入光窓より前記保護パネルを通過した外光を前記光センサに入光させる構成としたことを特徴とする情報処理装置。
【請求項３】
前記光センサは前記表示器の近傍に設置され、前記入光窓は前記筐体の表示窓の近傍に設けられていることを特徴とする請求項１又は２記載の情報処理装置。
【請求項４】
前記入光窓は、前記保護パネルに形成された遮光部に形成した透光部であることを特徴とする請求項１記載の情報処理装置。
【請求項５】
前記入光窓は、前記保護パネルで覆われる前記筐体の部分に形成された透孔であることを特徴とする請求項２記載の情報処理装置。
【発明の詳細な説明】
【０００１】
【発明の属する技術分野】
本発明は、ＰＤＡ（Ｐｅｒｓｏｎａｌ  Ｄｉｇｉｔａｌ  Ａｓｓｉｓｔａｎｔ）、ＰＨＳ（Ｐｅｒｓｏｎａｌ  Ｈａｎｄｙｐｈｏｎｅ  Ｓｙｓｔｅｍ）、ＰＣ（Ｐｅｒｓｏｎａｌ  Ｃｏｍｐｕｔｅｒ  ）、ハンドヘルドＰＣ（ｈａｎｄｈｅｌｄ  Ｐｅｒｓｏｎａｌ  Ｃｏｍｐｕｔｅｒ）、その他の情報携帯端末等、周囲の明るさを検出する光センサを備える情報処理装置に関し、特に、筐体内に設置された光センサに対応した外光の取込み構造に関する。
【０００２】
【従来の技術】
従来、携帯電話機では周囲の明るさを検出する光センサが備えられ、周囲の明るさに応じて操作ボタンの照明を点灯制御するものがある。また、カメラ付き携帯電話機では、被写体を照明するストロボ光源の発光制御のため、光センサの検出出力が利用されている。
【０００３】
従来の携帯電話機における外光の検知構造を例えば、図１及び図２を参照して説明する。図１は、携帯電話機の前面部を示し、図２は図１のＩＩ−ＩＩ線断面図である。この携帯電話機２では、ユーザが手で握ることの少ないＬＣＤディスプレイ４の表示窓６の上部側に入光窓８が形成され、この入光窓８に乳白色等に着色された入光パネル１０が取り付けられている。入光パネル１０は合成樹脂部品である。図２に示すように、筐体１２は前側筐体１４と後側筐体１６とを接合して構成されており、その内部に設置されたプリント回路基板１８にはＬＣＤディスプレイ４、光センサ２０等が実装され、光センサ２０は、プリント回路基板１８の上縁側に設置されている。前側筐体１４には、その中央部にＬＣＤディスプレイ４の表示窓６を覆う保護パネル２２が設置されており、上部角部に形成された入光窓８にはクランク状に屈曲した入光パネル１０が取り付けられている。外光Ｌは、入光パネル１０を通して前側筐体１４内の光センサ２０に導びかれて検出される。この光センサ２０の検出出力は、操作ボタン２４の背面に設置されたバックライトを構成する発光素子のＯＮ、ＯＦＦ制御等に用いられ、周囲が暗い場合にはその発光素子を点灯させ、操作ボタン２４の表示が認識できる程度に明るい場合には、その発光素子を消灯させている。
【０００４】
このような光センサ等を用いて周囲の明るさを検出し、ダイヤルキーのバックライトのＯＮ、ＯＦＦ制御を可能にした携帯電話機等に関する特許文献には次のようなものが存在している。
【０００５】
【特許文献１】
特開平７−７４６９１号公報
【０００６】
【特許文献２】
特開２００１−２２３７９２号公報
【０００７】
【特許文献３】
特開２００２−２７１０２号公報
【０００８】
特許文献１は周囲の明るさを検出し、ダイヤルキーのバックライトのＯＮ、ＯＦＦ制御を行うようにした携帯電話機を開示し、特許文献２はイメージセンサで周辺環境の照度を検出し、その検出レベルにより液晶バックライトを点灯又は消灯させるようにした携帯電話機を開示し、また、特許文献３はホトセンサで周辺照度を検出し、その検出レベルによりＬＣＤバックライトを点灯又は消灯させるようにした携帯電話機を開示している。
【０００９】
【発明が解決しようとする課題】
ところで、携帯電話機が有する機能や操作性を損なうことなく、また、光センサの受光性を維持するには、図１に示したように、入光窓８はＬＣＤディスプレイ４側の前側筐体１４の上部に配置すればよいが、その場合、入光パネル１０の取付方法としては、例えば、図３に示すように、前側筐体１４の内壁と入光パネル１０との間に接着剤２６を塗布して接着する方法と、例えば、図４に示すように、入光パネル１０の一部にフック部２８を形成するとともに、このフック部２８を係止させる突部３０を入光窓８の縁部に形成し、入光パネル１０を入光窓８に嵌め込み、前側筐体１４の突部３０にフック部２８を係止させる方法等がある。
【００１０】
しかしながら、接着による場合には、接着剤２６の塗布作業が必要となり、受光面等、接着剤２６を塗布すべきでない箇所に接着剤２６が付着するおそれがある。接着剤２６の付着量が不十分な場合には、入光パネル１０と入光窓８との間に隙間が生じ、その隙間から前側筐体１４内への水やごみの侵入のおそれや、入光パネル１０の脱落等の不都合がある。
【００１１】
また、嵌め込みの場合には、前側筐体１４の樹脂成形でフック部２８を形成することが必要となり、このようなフック部２８と突部３０との係止は組立工数を増加させ、その上、入光パネル１０と入光窓８との嵌合の調整が必要である。例えば、図５に示すように、入光パネル１０と入光窓８との間に生じた隙間３２を放置した場合には、その隙間３２から前側筐体１４に水やごみが侵入するおそれがあり、この隙間３２を除くには例えば、接着剤等を充填することが必要となる。接着剤の使用は、既述の通り、その塗布作業が必要であり、受光面等、接着剤を塗布すべきでない箇所に接着剤が付着するおそれがある。接着剤の接着が不十分な場合には、入光パネル１０と入光窓８との間の隙間３２から前側筐体１４内に水やごみの侵入のおそれや、入光パネル１０の脱落等のおそれがある。
【００１２】
また、上縁部に入光窓８が開口された前側筐体１４では、入光窓８が強度を低下させる原因になり、入光窓８の存在が前側筐体１４の強度増加のためのリブや、前側筐体１４と後側筐体１６との嵌合用フック等の形成を妨げるという不都合もある。
【００１３】
また、前側筐体１４と別部品である入光パネル１０が用いられているため、入光パネル１０の脱落や製造時の欠落という不都合や、筐体１２の強度低下等の指摘があり、また、入光パネル１０の設置でケースデザインの自由度が妨げられるとの指摘もある。
【００１４】
そこで、本発明は、周囲の明るさを検出する光センサを備える情報処理装置に関し、保護パネル側での外光の取込みにより、外光検出構造の簡略化を実現した情報処理装置を提供することを第１の目的とする。
【００１５】
また、本発明は、周囲の明るさを検出する光センサを備える情報処理装置に関し、入光パネルの不要化により、部品点数や組立工数を削減した情報処理装置を提供することを第２の目的とする。
【００１６】
【課題を解決するための手段】
上記第１又は第２の目的を達成するため、本発明の情報処理装置は、周囲の明るさを検出する光センサ６８を筐体４２内に備えるとともに、この筐体４２に表示器（ＬＣＤディスプレイ６４）の表示面７０を覆う保護パネル４６が設置されている情報処理装置（携帯電話機２、４０）であって、前記保護パネル側に入光窓４８を備え、この入光窓４８により外光Ｌを前記筐体内の前記光センサに入光させる構成としている。
【００１７】
係る構成とすれば、外光を保護パネルを通して筐体内に入光させることが可能になり、表示器の表示面を覆う保護パネル側に設けられた入光窓から保護パネルを通して外光を筐体内に取り込むので、外光の検出構造が簡略化される。また、従来の入光パネルが不要になる。このため、部品点数が削減され、入光パネルの取付け等の組立工数が削減され、筐体の角部側に入光窓を形成する必要がなく、筐体の強度を低下させることもなく、入光窓から入光パネルが脱落するという不都合もなく、入光窓に入光パネルを取り付けるような筐体の形状を変化させることもない。また、筐体に密着して固定される保護パネルが用いられるので、筐体内への水滴や異物の侵入が防止される。
【００１８】
また、上記第１又は第２の目的を達成するため、本発明の情報処理装置は、周囲の明るさを検出する光センサを筐体内に備えるとともに、この筐体に表示器の表示面を覆う保護パネルが設置されている情報処理装置であって、前記筐体の前記保護パネルで被覆された部位に入光窓を備え、この入光窓より前記保護パネルを通過した外光を前記光センサに入光させる構成としている。このように、保護パネルの下面側の筐体上に入光窓を形成しても同様に外光を保護パネルを通して筐体内に入光させることが可能になり、その結果、従来の入光パネルが不要になり、同様に目的が達成される。
【００１９】
上記第１又は第２の目的を達成するためには、前記光センサは前記表示器の近傍に設置され、前記入光窓４８は前記筐体４２の表示窓４４の近傍に設けられた構成としてもよい。係る構成とすれば、表示器の近傍に存在する空間部分に光センサが設置されるとともに、表示器の表示面を覆う保護パネル側に入光窓が形成され、その入光窓がユーザの手で握られるおそれがなく、外光Ｌの取入れが妨げられることがない。従って、周囲の明るさの検出精度が高められる。
【００２０】
上記第１又は第２の目的を達成するためには、前記入光窓は、前記保護パネルに形成された遮光部８６に形成した透光部８７で構成してもよい。係る構成とすれば、筐体に開口を設けて入光窓とする必要がなく、既存の保護パネルに光を遮る遮光部を形成し、この遮光部に透光部を形成して入光窓とすれば、外光を保護パネルを通して筐体内に入光させ、光センサで検出することが可能である。
【００２１】
上記第１又は第２の目的を達成するためには、前記入光窓は、前記保護パネルで覆われる前記筐体の部分に透孔７５を設けた構成としてもよい。係る構成とすれば、筐体の保護パネルで覆われる部位に透孔を設けて入光窓とすれば、筐体の強度を低下させることがなく、外光を保護パネルを通して筐体内に入光させ、光センサで検出することが可能である。
【００２２】
【発明の実施の形態】
（第１の実施形態）
本発明の情報処理装置の第１の実施形態に係る携帯電話機を図６及び図７を参照して説明する。図６は第１の実施形態に係る携帯電話機を示し、図７は図６のＶＩＩ  −ＶＩＩ  線断面図である。
【００２３】
図６に示すように、情報処理装置として例えば、携帯電話機４０の筐体４２の前面部には、画像や文字を表示させる表示窓４４が形成されているとともに、この表示窓４４を覆う保護パネル４６が設置されている。筐体４２及び保護パネル４６は例えば、合成樹脂で形成され、保護パネル４６は透光性を備えている。この保護パネル４６には表示窓４４に隣接して入光窓４８が形成され、この入光窓４８から保護パネル４６を通して外光が筐体４２内に取り込まれるように構成されている。また、筐体４２の前面部には、保護パネル４６の上側に着信ランプ表示窓５０、放音孔５２が設けられ、また、保護パネル４６の下側にはテンキー等の複数の操作ボタン５４、受音孔５６が設けられている。図示しないが、各操作ボタン５４の背面側にはバックライトとして発光ダイオード等の発光素子が設置されている。
【００２４】
また、図７に示すように、筐体４２は前側筐体５８と後側筐体６０とを結合して構成され、その内部に設置されたプリント回路基板６２には、文字や図形等の情報を表示する表示器としてＬＣＤディスプレイ６４が設置されているとともに、発音手段としてスピーカ６６が設置され、これらＬＣＤディスプレイ６４とスピーカ６６との間隔内のプリント回路基板６２上に光センサ６８が設置されている。即ち、光センサ６８は、ＬＣＤディスプレイ６４とスピーカ６６との間にある隙間に設置されており、筐体４２内の空間の利用効率が高められている。そして、前側筐体５８の表示窓４４にＬＣＤディスプレイ６４の表示面７０、放音孔５２にスピーカ６６が臨ませられ、必要な表示や放音が妨げられないような位置関係に設定されている。ＬＣＤディスプレイ６４と前側筐体５８の内壁部との間には緩衝部材であるパッキン７２が設置され、弾性を備えた機械的な結合関係が構成されているとともに、水滴や異物が表示面７０側に侵入するのが防止されている。
【００２５】
そして、前側筐体５８の前面部には、凹部７４が形成されているとともに、その凹部７４内に保護パネル４６が取り付けられている。前側筐体５８の保護パネル４６で覆われた部位、即ち、表示窓４４に隣接した部位に透孔７５が形成され、この透孔７５と保護パネル４６とによって入光窓４８が構成され、図中、この入光窓４８の下面側のプリント回路基板６２上に光センサ６８が設置されている。透孔７５には、図示しないが、光を透過可能な導光材料を充填してもよい。また、光センサ６８が設置される位置は、入光窓４８の直下である必要はなく、入光窓４８から入光する外光Ｌが検知可能な領域範囲にあればよい。導光部材で外光Ｌを光センサ６８の受光面７６に導く構成としてもよく、導光部材を介在すれば、光センサ６８の設置箇所の自由度が拡大する。
【００２６】
この実施形態の携帯電話機４０によれば、表示窓４４を覆う保護パネル４６及び前側筐体５８に形成された入光窓４８を通して、即ち、入光窓４８を覆う保護パネル４６を通して外光Ｌが筐体４２内に導びかれ、光センサ６８に検出される。従来の筐体の角部分に入光窓や入光パネルを設置した携帯電話機に比較し、保護パネル４６側から外光Ｌを取り込むので、外光Ｌの集光量が増加し、入光窓４８の面積も大きく取ることが可能となる。
【００２７】
そして、光センサ６８の検出出力は、操作ボタン５４の背面に設置されたバックライトを構成する発光素子のＯＮ、ＯＦＦ制御や、カメラ付き携帯電話機の場合には、ストロボ光源のＯＮ、ＯＦＦ制御等に用いられる。即ち、周囲が暗い場合にはその発光素子を点灯させ、操作ボタン５４の表示が認識できる程度に明るい場合には、その発光素子を消灯させるので、電力消費を削減でき、電源の二次電池の消耗の抑制に寄与することができる。
【００２８】
また、このように保護パネル４６で覆われた透孔７５で入光窓４８を構成すれば、透孔７５の形成、即ち、入光窓４８の形成で筐体４２の強度を低下させることはない。保護パネル４６で覆われる部分に入光窓４８が形成され、筐体４２の角部に開口を形成しないので、筐体４２の強度を低下させることもない。また、保護パネル４６の一部で入光窓４８が構成されているので、別部品である入光パネルが不要となるとともに、嵌合構造で固定する場合の入光パネルの形態に要求される精度は不要であり、しかも、部品点数の削減とともに、入光パネルの取付け等の組立工数を削減でき、コストダウンを図ることができる。また、入光窓４８は保護パネル４６で覆われているので、従来のような入光パネルの脱落のおそれや、入光窓４８からの水滴や異物の侵入のおそれがない。さらに、入光窓４８を備える前側筐体５８のデザインに与える影響が極めて少なく、ケースデザインや筐体設計の自由度が高められる。
【００２９】
（第２の実施形態）
次に、本発明の第２の実施形態に係る携帯電話機を図８を参照して説明する。図８は第２の実施形態に係る携帯電話機を示している。この実施形態では、保護パネル４６の入光窓４８の上部及び周囲部の領域に対し、ロゴや模様等の印刷や樹脂成形による表示部７８を形成してもよい。このような表示部７８を形成すれば、入光窓４８を塞ぎ、外光Ｌの取入れが妨げられるのを防止でき、外光Ｌの検出精度の向上に寄与する。
【００３０】
（第３の実施形態）
次に、本発明の第３の実施形態に係る携帯電話機を図９を参照して説明する。図９は第３の実施形態に係る携帯電話機を示している。前記実施形態では、放音孔５２の下側に単一の入光窓４８を形成したが、第３の実施形態では、放音孔５２を挟んでその左右２箇所に入光窓４８が形成され、各入光窓４８を覆うように保護パネル４６に台形状の突部８０、８２が形成されている。そして、各入光窓４８に対応して光センサ６８が設置される。このような構成によれば、双方の入光窓４８が塞がれる危険性がなく、外光Ｌの取入れの信頼性が高められる。この場合、左右いずれかの入光窓４８の一方のみとしてもよい。
【００３１】
（第４の実施形態）
次に、本発明の第４の実施形態に係る携帯電話機を図１０を参照して説明する。図１０は第４の実施形態に係る携帯電話機を示している。この実施形態では、前側筐体５８の表示窓４４を光センサ６８の受光面７６の範囲まで拡大するとともに、光センサ６８を覆って設置された保護パネル４６に選択的に光を遮る遮光部８６を形成し、この遮光部８６で包囲された透光部８７で入光窓４８を構成してもよい。遮光部８６は、合成樹脂で形成される保護パネル４６の成形時、遮光材料の混入や遮光樹脂の嵌込み成形等で容易に実現することができる。
【００３２】
（第５の実施形態）
本発明の第５の実施形態に係る携帯電話機を図１１を参照して説明する。図１１は第５の実施形態に係る携帯電話機を示している。この実施形態では、保護パネル４６の表面部に入光窓４８を包囲する凹部８８が形成され、この凹部８８に遮光塗料等の遮光膜９０を形成して遮光部８６を構成し、この遮光部８６で包囲された透光部８７で入光窓４８を構成している。係る構成によっても、保護パネル４６を通して外光Ｌを光センサ６８に導くことができる。
【００３３】
（第６の実施形態）
本発明の第６の実施形態に係る携帯電話機を図１２を参照して説明する。図１２は第６の実施形態に係る携帯電話機を示している。この実施形態では、保護パネル４６の裏面部に入光窓４８を包囲する凹部９２が形成され、この凹部９２に遮光塗料等の遮光膜９４を形成して遮光部８６を構成し、この遮光部８６で包囲された透光部８７で入光窓４８を構成している。係る構成によっても、保護パネル４６を通して外光Ｌを光センサ６８に導くことができる。
【００３４】
（第７の実施形態）
本発明の第７の実施形態に係る携帯電話機を図１３を参照して説明する。図１３は第７の実施形態に係る携帯電話機を示している。この実施形態では、保護パネル４６及び前側筐体５８に形成された入光窓４８と光センサ６８との間に光を導びく合成樹脂等からなる導光部材９６を設置し、入光窓４８に入光した外光Ｌを光センサ６８に導びくように構成している。係る構成とすれば、保護パネル４６を通して取り込まれた外光Ｌを導光部材９６で所望の位置に導くことができ、光センサ６８の設置位置の自由度が高められる。この場合、導光部材９６は、第４、第５又は第６の実施形態における入光窓４８と光センサ６８との間に設置する構成としてもよい。
【００３５】
次に、以上述べた本発明の情報処理装置の実施形態の変形例、その他の技術的な拡張事項等を以下に列挙する。
【００３６】
（１）  上記実施形態では、情報処理装置として携帯電話機を例に取って説明したが、本発明は、ＰＤＡ、ＰＨＳ、ＰＣ、ハンドヘルドＰＣ、その他の情報携帯端末、ディジタルカメラ等、周囲の明るさを検出する光センサを備える各種の情報処理装置に適用できるものであり、実施形態の携帯電話機に限定されるものではない。
【００３７】
（２）  実施形態では表示器としてメインＬＣＤの表示面を覆う保護パネルに入光窓を形成した場合について説明したが、携帯電話機の背面部等に設置されるサブＬＣＤの表示面を覆う保護パネルに同様の入光窓を形成し、その筐体４２内に設置されている光センサ６８に外光Ｌを導くようにしてもよい。
【００３８】
（３）  保護パネル４６の遮光部８６に入光窓４８を形成する場合、印刷、成形、蒸着等の形成手段により、選択的にロゴや模様等からなる透かし部を形成した構成としてもよい。係る構成とすれば、入光窓４８の存在を隠すことができる。
【００３９】
（４）  光センサ６８をＬＣＤディスプレイ６４及びスピーカ６６が設置されたプリント回路基板６２上の、ＬＣＤディスプレイ６４とスピーカ６６との間に設置した構成とすれば、筐体４２内の空間の利用率を高めることができる。
【００４０】
（５）  実施形態の光センサ６８の検出出力を操作ボタン用照明の自動ＯＮ、ＯＦＦ制御やカメラ用照明の自動ＯＮ、ＯＦＦ制御に使用すれば、電力消費を低減させ、電源に用いられる二次電池等の消耗抑制に寄与することができる。
【００４１】
次に、以上述べた情報処理装置の実施形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００４２】
（付記１）  周囲の明るさを検出する光センサを筐体内に備えるとともに、この筐体に表示器の表示面を覆う保護パネルが設置されている情報処理装置であって、
前記保護パネル側に入光窓を備え、この入光窓により外光を前記筐体内の前記光センサに入光させる構成としたことを特徴とする情報処理装置。
【００４３】
（付記２）  周囲の明るさを検出する光センサを筐体内に備えるとともに、この筐体に表示器の表示面を覆う保護パネルが設置されている情報処理装置であって、
前記筐体の前記保護パネルで被覆された部位に入光窓を備え、この入光窓より前記保護パネルを通過した外光を前記光センサに入光させる構成としたことを特徴とする情報処理装置。
【００４４】
（付記３）  前記光センサは前記表示器の近傍に設置され、前記入光窓は前記筐体の表示窓の近傍に設けられていることを特徴とする付記１又は２記載の情報処理装置。
【００４５】
（付記４）  前記入光窓は、前記保護パネルに形成された遮光部に形成した透光部であることを特徴とする付記１記載の情報処理装置。
【００４６】
（付記５）  前記入光窓は、前記保護パネルで覆われる前記筐体の部分に形成された透孔であることを特徴とする付記２記載の情報処理装置。
【００４７】
（付記６）  前記光センサは、前記表示器及びスピーカが設置された基板上の、前記表示器と前記スピーカとの間に設置された構成であることを特徴とする付記１又は２記載の情報処理装置。
【００４８】
（付記７）  前記入光窓と前記光センサとの間の空間部に導光部材を設置し、この導光部材を介して前記入光窓より前記外光を前記光センサに入光させる構成であることを特徴とする付記１又は２記載の情報処理装置。
【００４９】
（付記８）  前記遮光部は、前記保護パネルの表面又は裏面に形成された遮光膜であることを特徴とする付記４記載の情報処理装置。
【００５０】
以上説明したように、本発明の最も好ましい実施の形態等について説明したが、本発明は、上記記載に限定されるものではなく、特許請求の範囲に記載され、又は発明の詳細な説明に開示された発明の要旨に基づき、当業者において様々な変形や変更が可能であることは勿論であり、係る変形や変更が、本発明の範囲に含まれることは言うまでもない。
【００５１】
【発明の効果】
以上説明したように、本発明によれば、次の効果が得られる。
ａ  表示器の表示面を覆う保護パネル側で外光を筐体内に取り込むので、外光の検出構造が簡略化できるとともに、集光量を増加させることができる。
【００５２】
ｂ  従来の入光パネルが不要になるので、部品点数を削減でき、その取付けが不要になるので、組立工数を削減することができ、コストダウンを図ることができる。
【００５３】
ｃ  入光パネルの脱落や入光パネルを取り付けるための入光窓による筐体の形状変化を来すことがなく、筐体を覆う保護パネルを通して外光を取り入れるので、水滴や異物の侵入を防止でき、筐体の強度低下を来すことなく、筐体の堅牢性に寄与することができる。
【００５４】
ｄ  入光窓を表示器の表示窓の近傍に形成された構成とすれば、外光の取入れが妨げられることがなく、周囲の明るさの検出精度を高めることができる。
【００５５】
ｅ  入光窓を保護パネルに形成された遮光部に透光部を形成した構成とすれば、外光を保護パネルを通して筐体内に入光させることができる。
【００５６】
ｆ  筐体の保護パネルで覆われる部位に透孔を設けて入光窓を構成すれば、筐体の強度を低下させることがなく、外光を保護パネルを通して筐体内に入光させることができる。
【図面の簡単な説明】
【図１】従来の携帯電話機を示す図である。
【図２】図１に示す携帯電話機のＩＩ−ＩＩ線断面図である。
【図３】従来の携帯電話機の入光窓における入光パネルの接着固定を示す断面図である。
【図４】従来の携帯電話機の入光窓における入光パネルの嵌合固定を示す断面図である。
【図５】従来の携帯電話機の入光窓に対する入光パネルの取付け状態を示す図である。
【図６】本発明の第１の実施形態に係る携帯電話機を示す図である。
【図７】図６に示す携帯電話機のＶＩＩ  −ＶＩＩ  線断面図である。
【図８】本発明の第２の実施形態に係る携帯電話機の入光窓部を示す図である。
【図９】本発明の第３の実施形態に係る携帯電話機の入光窓部を示す図である。
【図１０】本発明の第４の実施形態に係る携帯電話機の入光窓部を示す図である。
【図１１】本発明の第５の実施形態に係る携帯電話機の入光窓部を示す図である。
【図１２】本発明の第６の実施形態に係る携帯電話機の入光窓部を示す図である。
【図１３】本発明の第７の実施形態に係る携帯電話機の入光窓部を示す図である。
【符号の説明】
２、４０  携帯電話機
４２  筐体
４４  表示窓
４６  保護パネル
４８  入光窓
６４  ＬＣＤディスプレイ（表示器）
６８  光センサ
７０  表示面
７５  透孔
８６  遮光部
８７  透光部
Ｌ  外光
【図１】
2004312620.tif 000003
【図２】
2004312620.tif 000004
【図３】
2004312620.tif 000005
【図４】
2004312620.tif 000006
【図５】
2004312620.tif 000007
【図６】
2004312620.tif 000008
【図７】
2004312620.tif 000009
【図８】
2004312620.tif 000010
【図９】
2004312620.tif 000011
【図１０】
2004312620.tif 000012
【図１１】
2004312620.tif 000013
【図１２】
2004312620.tif 000014
【図１３】
2004312620.tif 000015